(57)【要約】【課題】蒸発量、蒸発温度が異なる蒸着材料であっても、蒸着材料の加熱温度の制御性が良く、蒸着材料の蒸気量を高精度に制御できる真空蒸着装置を提供する。【解決手段】壁面が加熱されたチャンバ３の下方側に設けられ、異なる蒸着材料４ａ、４ｂを各々気化又は昇華させて、蒸着材料４ａ、４ｂの蒸気を発生させる蒸発室１ａ、１ｂと、蒸発室１ａ、１ｂからの蒸着材料４ａ、４ｂの蒸気量を各々制御する２つのスプールシャッタ６と、２つのスプールシャッタ６が面し、蒸着材料４ａ、４ｂの蒸気が混合される混合室７とを有し、上方側に配置された基板５に混合された蒸気を蒸着させる真空蒸着装置において、少ない蒸発量又は低い蒸発温度の蒸着材料４ｂ側のスプールシャッタ６と蒸発室１ｂとの間に、複数の孔１１ａを有する多孔板１１を設ける。【選択図】図１
2006225758.tif 000002
【特許請求の範囲】
【請求項１】
真空容器に設けられ、異なる蒸発材料を各々気化又は昇華させて、前記蒸発材料の蒸気を発生させる複数の蒸発室と、
前記蒸発室からの前記蒸発材料の蒸気量を各々制御する複数の蒸気量制御手段と、
前記複数の蒸気量制御手段が面し、前記蒸発材料の蒸気が混合される混合室とを有し、
蒸着対象物に前記蒸発材料の蒸気を混合して蒸着させる真空蒸着装置において、
前記蒸気量制御手段と前記蒸発室との間に、複数の孔を有する多孔板を設けたことを特徴とする真空蒸着装置。
【請求項２】
請求項１記載の真空蒸着装置において、
前記多孔板は、少ない蒸気量の蒸発材料側又は蒸発温度が低い蒸発材料側に設けられたことを特徴とする真空蒸着装置。
【請求項３】
請求項１又は請求項２記載の真空蒸着装置において、
前記多孔板を複数段設けたことを特徴とする真空蒸着装置。
【請求項４】
請求項３記載の真空蒸着装置において、
複数段設けられた前記多孔板は、互いの孔の位置が鉛直方向の同一線上に存在しないように配置されたことを特徴とする真空蒸着装置。
【請求項５】
請求項１又は請求項２記載の真空蒸着装置において、
前記多孔板の厚さを厚くしたことを特徴とする真空蒸着装置。
【請求項６】
請求項１乃至請求項５のいずれかに記載の真空蒸着装置において、
前記蒸気量制御手段は、前記蒸発材料の蒸気が通過する開口部を備え、
前記多孔板の孔の開口面積は、前記蒸気量制御手段の開口部の面積より大きくしたことを特徴とする真空蒸着装置。
【請求項７】
請求項１乃至請求項５のいずれかに記載の真空蒸着装置において、
前記蒸気量制御手段は、前記蒸発材料の蒸気が通過する開口部を備え、
前記多孔板の孔のコンダクタンスを、前記蒸気量制御手段の開口部のコンダクタンスより大きくしたことを特徴とする真空蒸着装置。
【請求項８】
請求項１乃至請求項７のいずれかに記載の真空蒸着装置において、
前記蒸発室の壁面に設けた加熱手段を複数に分割して、各々独立して温度制御を行うことを特徴とする真空蒸着装置。
【請求項９】
請求項８記載の真空蒸着装置において、
前記蒸気量制御手段側の分割された前記加熱手段の温度を、前記蒸発室の前記蒸発材料側の分割された前記加熱手段の温度以上に制御することを特徴とする真空蒸着装置。
【発明の詳細な説明】
【技術分野】
【０００１】
本発明は、基板等の蒸着対象物に蒸発材料を蒸着させて、薄膜を形成する真空蒸着装置に関する。
【背景技術】
【０００２】
真空蒸着装置は、真空容器内に蒸発材料と蒸着対象物を配置し、真空容器内を減圧した状態で、るつぼ内の蒸発材料を加熱、溶融して蒸発又は昇華により蒸気化させ、蒸気となった蒸発材料を蒸着対象物の表面に堆積させて薄膜を形成するものである。近年では、２種類の異なる蒸発材料を各々るつぼで蒸発させて、その蒸気を混合した後、蒸着対象物に蒸着を行う共蒸着の真空蒸着装置が開発されている。共蒸着の真空蒸着装置は、例えば、フラットパネルディスプレイ（以下、ＦＰＤと略す。）の有機エレクトロルミネセンス素子（以下、有機ＥＬ素子と略す。）の形成等に用いられており、一方のるつぼにホスト材を入れ、他方のるつぼにドーパント材を入れ、これらの蒸発材料を蒸発させ、シャッタ等の蒸気量制御装置を用いて蒸気量を制御して、適切な混合比にて混合し、その後、基板上に蒸着させて、有機ＥＬ素子を形成している。
【０００３】
【特許文献１】特開平４−４５２５９号公報
【特許文献２】特開平９−２７２７０３号公報
【特許文献３】特開２００２−３４８６５９号公報
【発明の開示】
【発明が解決しようとする課題】
【０００４】
ところが、上述した共蒸着を行う真空蒸着装置においては、以下に示すような課題があり、これらの課題の解決が望まれていた。
【０００５】
（１）ホスト材に比べて、必要とされるドーパント材の蒸気量が小さい（例えば、ホスト材の１％程度）。そのため、ドーパント材の蒸気量を調整するには、シャッタ等の蒸気量制御装置の開口部の面積を小さくせざるを得ない。その場合、蒸気量の調整が難しくなる。又、開口部の面積が小さいと加工精度が必要となり、加工が困難となる。
（２）たいていの場合、ホスト材に比べて、混合されるドーパント材の蒸発温度が低い。そのため、ドーパント材側のシャッタの開口部から侵入するホスト材の蒸気が、温度の低いドーパント材のるつぼに付着、堆積し、ドーパント材の蒸発を阻害する。
（３）同じく、ドーパント材の蒸発温度は低いため、ドーパント材のるつぼの温度は低くしたい。ところが、ホスト材側の温度が高いので、ホスト材とドーパント材を混合する混合室の温度は、ホスト材が付着しない温度に加熱する必要がある。その場合、混合室側からの入熱でドーパント材側のシャッタが加熱され、加熱されたドーパント材側のシャッタ等からの輻射を受けてしまい、ドーパント材側のるつぼの温度が高くなり、その温度制御が難しい。
【０００６】
本発明は上記課題に鑑みなされたもので、蒸気量、蒸発温度が異なる蒸発材料であっても、蒸発材料の加熱温度の制御性が良く、蒸発材料の蒸気量を高精度に制御できる真空蒸着装置を提供することを目的とする。
【課題を解決するための手段】
【０００７】
上記課題を解決する第１の発明に係る真空蒸着装置は、
真空容器に設けられ、異なる蒸発材料を各々気化又は昇華させて、前記蒸発材料の蒸気を発生させる複数の蒸発室と、
前記蒸発室からの前記蒸発材料の蒸気量を各々制御する複数の蒸気量制御手段と、
前記複数の蒸気量制御手段が面し、前記蒸発材料の蒸気が混合される混合室とを有し、
蒸着対象物に前記蒸発材料の蒸気を混合して蒸着させる真空蒸着装置において、
前記蒸気量制御手段と前記蒸発室との間に、複数の孔を有する多孔板を設けたことを特徴とする。
なお、蒸気量を制御する蒸気量制御手段としては、蒸気が通過する開口部の断面積を制御するもの、蒸気が通過する開口部の通過距離を制御するもの、蒸気が通過する開口部の断面積は変えずに、開口部の形状や個数を変えるもの等が考えられる。
【０００８】
上記課題を解決する第２の発明に係る真空蒸着装置は、
上記第１に記載の真空蒸着装置において、
前記多孔板は、少ない蒸気量の蒸発材料側又は蒸発温度が低い蒸発材料側に設けられたことを特徴とする。
【０００９】
上記課題を解決する第３の発明に係る真空蒸着装置は、
上記第１又は第２の発明に記載の真空蒸着装置において、
前記多孔板を複数段設けたことを特徴とする。
【００１０】
上記課題を解決する第４の発明に係る真空蒸着装置は、
上記第３の発明に記載の真空蒸着装置において、
複数段設けられた前記多孔板は、互いの孔の位置が鉛直方向の同一線上に存在しないように配置されたことを特徴とする。
【００１１】
上記課題を解決する第５の発明に係る真空蒸着装置は、
上記第１又は第２の発明に記載の真空蒸着装置において、
前記多孔板の厚さを厚くしたことを特徴とする。
【００１２】
上記課題を解決する第６の発明に係る真空蒸着装置は、
上記第１乃至第５の発明に記載の真空蒸着装置において、
前記蒸気量制御手段は、前記蒸発材料の蒸気が通過する開口部を備え、
前記多孔板の孔の開口面積は、前記蒸気量制御手段の開口部の面積より大きくしたことを特徴とする。
【００１３】
上記課題を解決する第７の発明に係る真空蒸着装置は、
上記第１乃至第５の発明に記載の真空蒸着装置において、
前記蒸気量制御手段は、前記蒸発材料の蒸気が通過する開口部を備え、
前記多孔板の孔のコンダクタンスを、前記蒸気量制御手段の開口部のコンダクタンスより大きくしたことを特徴とする。
【００１４】
上記課題を解決する第８の発明に係る真空蒸着装置は、
上記第１乃至第７の発明に記載の真空蒸着装置において、
前記蒸発室の壁面に設けた加熱手段を複数に分割して、各々独立して温度制御を行うことを特徴とする。
少なくとも、蒸気量制御手段と多孔板の間において、加熱手段を複数に分割して、各々独立して温度制御することが望ましい。
【００１５】
上記課題を解決する第９の発明に係る真空蒸着装置は、
上記第８の発明に記載の真空蒸着装置において、
前記蒸気量制御手段側の分割された前記加熱手段の温度を、前記蒸発室の前記蒸発材料側の分割された前記加熱手段の温度以上に制御することを特徴とする。
【発明の効果】
【００１６】
第１〜第７の発明によれば、蒸気量制御手段と蒸発室との間に多孔板を設けたので、蒸発室から蒸発される蒸気に対して、多孔板が流れの抵抗となり、蒸気量制御手段への蒸気の供給量を絞ることができる。その結果、混合室への蒸気の供給量を微少にする場合であっても、蒸気量制御手段の開口部の面積を極端に小さくすることなく、蒸気の流量調整を容易に行うことができる。又、蒸気量制御手段の開口部の面積を極端に小さくする必要が無いことから、蒸気量制御手段の開口部を、適正な形状に容易に形成することができる。
【００１７】
第１〜第７の発明によれば、蒸気量制御手段と蒸発室との間に多孔板を設けたので、多孔板により、蒸発室とは分離された室を蒸気量制御手段側に設けることができる。多孔板により分離された室は、その壁温度が低いため、蒸気量制御手段を逆流する一方の蒸発材料の蒸気は、多孔板により分離された室でトラップされ、他方の蒸発材料のるつぼへの到達を防止することができる。この結果、一方の蒸発材料が他方の蒸発材料の蒸発を阻害することが無くなり、蒸発材料の蒸気量を高精度に調整可能となり、操業時の信頼性が向上する。又、他方の蒸発材料のるつぼに付着する一方の蒸発材料が無くなるので、メンテナンス間隔を長くすることができ、生産性の向上を図ることが可能となる。
【００１８】
第１〜第７の発明によれば、蒸気量制御手段と蒸発室との間に多孔板を設けたので、蒸気量制御手段からの輻射を多孔板により遮蔽することができる。つまり、多孔板が輻射の遮蔽板の役割を果たすことになるため、蒸気量制御手段からるつぼ側への入熱を低減することができ、蒸発材料の蒸発室を所望の温度に維持することができる。又、蒸気量制御手段からの入熱を低減できるので、るつぼの温度制御の応答性も向上させることができる。
【００１９】
第８、第９の発明によれば、蒸発室の壁面に設けた加熱手段を複数に分割して、各々独立して温度制御を行うので、蒸気量制御手段の温度が蒸発材料の加熱温度以上に加熱されて、蒸発材料が壁面に付着することはない。又、蒸気量制御手段の上流側、下流側が等温に制御されるため、蒸気量制御手段自体の変形量が小さくなり、リーク量を低減することができ、蒸発材料の蒸発量の制御性も向上させることができる。加えて、多孔板の温度は、蒸発材料の加熱温度と同等か、若しくは、蒸発材料の加熱温度と蒸気量制御手段の加熱温度との中間温度となるため、一方の蒸発材料が侵入した場合でも、多孔板がトラップ板の役割を果たし、他方の蒸発材料のるつぼ側に付着することはない。
【発明を実施するための最良の形態】
【００２０】
本発明に係る真空蒸着装置の実施形態を、図１乃至図１１を用いて詳細に説明を行う。
【実施例１】
【００２１】
図１は、本発明に係る真空蒸着装置の実施形態の一例を示す概略図である。
なお、以下の実施例では、２つの蒸発材料を用いて共蒸着を行う成膜真空蒸着装置を示して、その詳細を説明するが、本発明は、２つ以上の蒸発材料を用いて蒸着を行うものであれば、いずれの真空蒸着装置にも適用可能なものである。
又、本実施例では、真空蒸着装置の蒸発室を下方側（上流方向側）に配置し、蒸着対象物に蒸着を行う蒸着室を上方側（下流方向側）に配置して、真空蒸着装置の使用時の姿勢としては、鉛直状態としているが、使用時の姿勢は、鉛直だけに限らず、傾斜状態、水平状態（９０度傾け）、倒立状態（１８０度傾け）であってもよい。但し、倒立状態や倒立状態に近い姿勢の場合には、蒸発材料が蒸発室から流れ出したり（液体の場合）、転がり出したり（固体の場合）しないように、蒸発室の形状を工夫している。
【００２２】
本実施例の真空蒸着装置は、上流方向の２つの蒸発室１ａ、１ｂから下流方向の蒸着室２までの壁面が複数のヒータ（図示せず。）により加熱されたチャンバ３を有するものである。チャンバ３は、所謂、ホットウォールチャンバと呼ばれるものであり、気化された蒸発材料４ａ、４ｂが基板５へ蒸着される過程で、壁面等に蒸着しないような構成になっており、図示しない複数の温度センサを用いて、蒸発材料４ａ、４ｂが壁面等に蒸着しない温度に制御されている。このようなホットウォールチャンバを用いた場合、蒸発材料の蒸気の利用効率が向上すると共に、成膜速度も向上する。なお、チャンバ３の内部及び外部は、基板５を含めて、周囲を真空容器（図示せず。）に囲われており、図示しない真空ポンプにより、適切な真空度に制御されている。
【００２３】
チャンバ３の内部には、その上流方向側に、蒸発材料４ａを有し、蒸発材料４ａを気化又は昇華させて、蒸気化する蒸発室１ａと、蒸発材料４ｂを有し、蒸発材料４ｂを気化又は昇華させて、蒸気化する蒸発室１ｂとが配置されている。蒸発室１ａ、１ｂの下部は、所謂、るつぼに該当し、図示しないヒータ及び温度センサにより、各々異なる温度に制御されている。又、蒸発室１ｂの下流方向側の空間には、複数の孔１１ａを有する多孔板１１が設けられている。つまり、蒸発室１ｂの下流方向側に、多孔板１１により分離された分離室１ｃが設けられていることになる。この多孔板１１は、共蒸着を行う場合において、一方の蒸発材料と比較して、他方の蒸発材料の蒸発温度が低い場合や必要蒸気量が少ない場合、蒸発温度が低い又は必要蒸気量が少ない方の蒸発材料を有する蒸発室側に設けるものである。
【００２４】
更に、チャンバ３の内部には、その下流方向側へ、蒸発室１ａ、分離室１ｃ（蒸発室１ｂ）からの蒸発材料４ａ、４ｂの蒸気量を、基板５の板幅方向Ｌにおいて、均一な蒸気量分布になるように各々制御するスプールシャッタ（蒸気量制御手段）６と、２つのスプールシャッタ６と面し、蒸発材料４ａ、４ｂの蒸気が混合される混合室７と、複数の貫通孔を有する固定板及び可動板から構成され、蒸着室２内における混合された蒸気の面内分布及び流れを整えて、均一に調整する多孔板シャッタ８と、上記貫通孔より小さい貫通孔を複数有し、混合された蒸気の面内分布及び流れを更に整える多孔整流板９とが、順に配置されている。
【００２５】
なお、詳細は後述するが、スプールシャッタ６には、蒸発材料４ａ、４ｂの蒸気量を、基板５の板幅方向Ｌにおいて均一に供給するため、板幅方向Ｌの方向に複数の流路１２が設けられており、これらの流路を通過する蒸気量を、各々独立して制御可能に構成してある。又、スプールシャッタ６には、流路１２より開口面積の大きい流路１３が設けられており、これは、主に、蒸発室１ａ、１ｂ、分離室１ｃの脱ガスのために用いられている。なお、多孔板１１の孔１１ａの大きさは、少なくとも、流路１２の開口面積より大きく形成している。
【００２６】
又、チャンバ３の蒸着室２の開口部は、基板５の板幅方向Ｌに長いものであり、少なくとも、基板５の蒸着面積の板幅方向Ｌの長さと同等の長さを有する。又、スプールシャッタ６の構成部材や多孔板シャッタ８、多孔整流板９、多孔板１１も、蒸着室２と同様に、少なくとも、基板５の蒸着面積の板幅方向Ｌの長さと同等の長さを有する。
【００２７】
蒸発室１ａ、分離室１ｃ（蒸発室１ｂ）からの蒸発材料４ａ、４ｂの蒸気は、２つのスプールシャッタ６を経て、混合室７で適切な混合比に混合され、多孔板シャッタ８、多孔整流板９を経て、均一な蒸気分布とされた後、蒸着室２において基板５への蒸着が行われ、所望する組成比を有する薄膜の成膜が基板５上に行われる。
【００２８】
基板５は、蒸着室２の開口部の下流方向側に配置されており、図示しない搬送機により、搬送方向１０へ連続的に搬送される。蒸着を行う際には、蒸着される薄膜の膜厚が、基板５の搬送方向１０に沿って均一になるように、搬送機が一定の所定速度で基板５を移動させている。
【００２９】
次に、上記真空蒸着装置において、図２、図３、図４を参照して、スプールシャッタ６について説明した後、多孔板１１の果たす作用を説明する。
【００３０】
スプールシャッタ６は、略直方体形状のシャッタブロック６ａと、シャッタブロック６ａ内部に設けられた円柱状の空間部分に回転可能に嵌合された複数の円柱状のシャッタシャフト６ｂとを有する。図２（ａ）に示すように、シャッタブロック６ａには、出口孔６ｃと入口孔６ｄが形成されており、シャッタシャフト６ｂには、所定の回転位置に回動されると、出口孔６ｃ、入口孔６ｄと連通する連通孔６ｅが形成されている。流路１２を通過する蒸気量を最大にしたい場合には、シャッタシャフト６ｂ自体を回転させて、出口孔６ｃ、入口孔６ｄに対して、連通孔６ｅの開口面積が最大になるように、連通孔６ｅの相対位置を調整する（図４（ａ）参照）。又、流路１２を通過する蒸気量を調整したい場合には、シャッタシャフト６ｂ自体を回転させることで、出口孔６ｃ、入口孔６ｄに対する連通孔６ｅの相対位置を調整して、連通孔６ｅの開口面積を変化させて、蒸気量を調整する（図４（ｂ）参照）。更に、流路１２からの蒸気の供給を停止したい場合（流路１２を通過する蒸気量を０にしたい場合）には、シャッタシャフト６ｂ自体を回転させて、出口孔６ｃ、入口孔６ｄに対して、連通孔６ｅの開口面積が０になるように、連通孔６ｅの相対位置を調整する（図４（ｃ）参照）。このように、スプールシャッタ６は、蒸気が通過する開口部（流路１２）の開口断面積を制御することで、蒸気量を制御している。なお、シャッタシャフト６ｂの駆動は、図示しない駆動手段により回転制御されており、制御指令に応じて適切な開口面積に各々のシャッタシャフト６ｂが制御されて、適切な蒸気量を供給できるように構成されている。
【００３１】
流路１２は、主に、蒸気量制御のために用いるが、スプールシャッタ６には、流路１３が設けられており、これは、蒸発室１ａ、１ｂ、分離室１ｃの脱ガスのために用いる。流路１３は、図３に示すように、シャッタブロック６ａ側に、開口面積の大きい出口孔６ｆと入口孔６ｇを形成し、シャッタシャフト６ｂ側に、所定の回転位置に回動されると、出口孔６ｆ、入口孔６ｇと連通する開口面積の大きい連通孔６ｈを形成している。出口孔６ｆ、入口孔６ｇ、連通孔６ｈは、図２に示した出口孔６ｃ、入口孔６ｄ、連通孔６ｅとは、シャッタシャフト６ｂの長手方向において異なる位置に形成されており、連通孔６ｅと連通孔６ｈは、例えば、互いに９０°異なる方向に形成されている。従って、流路１２を使用する際には、流路１３側は「閉」状態となり、蒸気量を高精度に調整可能となり、逆に、流路１３を使用する際には、流路１２側が「閉」状態となり、蒸発室１ａ、蒸発室１ｂ（分離室１ｃ）と最大の開口面積で連通することになり、装置始動時の脱ガスを行う際に、効率的に脱ガスを行うことができる。
【００３２】
なお、高精度を要求されることなく、大量の蒸気量を供給したい場合には、流路１３側を用いて蒸気を供給するようにしてもよい。その場合も、シャッタシャフト６ｂ自体を回転させることで、出口孔６ｆ、入口孔６ｇに対する連通孔６ｈの相対位置を調整し、連通孔６ｅの開口面積を変化させて、流路１３を通過する蒸気量を調整する。又、蒸発室１ａ側にも、同じ構成のスプールシャッタが設けられている。なお、スプールシャッタ自体は、本実施例に示したような回転式のものに限らず、図１の多孔シャッタ板８のように、貫通孔を複数有する固定板と可動板をスライドして蒸気量を調整するものでもよい（後述する実施例５〜８参照）。
【００３３】
蒸着時においては、図２（ａ）に示すように、上記スプールシャッタ６の上流方向側に設けられた多孔板１１は、蒸発室１ｂから蒸発される蒸発材料４ｂの蒸気Ｓｄに対する流れの抵抗となり、孔１１ａによりスプールシャッタ６側への蒸気Ｓｄの供給量を絞ることができる。従来は、スプールシャッタのみで流量を調整しており、微少な流量を高精度に制御する場合には、開口面積を小さくするしかなかったが、本発明では、上記作用により、スプールシャッタ６の流路１２の開口面積を極端に小さくしなくても、混合室７への蒸気の供給量を高精度に容易に調整することができる。又、スプールシャッタ６の流路１２の開口面積を極端に小さくする必要が無いことから、流路１２の形成が容易になると共に、流路１２を所望の蒸気量に応じた開口面積とすることができる。
【００３４】
例えば、有機ＥＬ素子を形成する場合には、通常は、ホスト材の蒸気量を１００％とすると、ドーパント材の蒸気量は１％程度しか必要とされず、従って、ドーパント材側のスプールシャッタ６の蒸気量の調整幅も、ホスト材の１／１００程度になってしまう。従来は、ホスト材側のスプールシャッタ６のコンダクタンスをＣ１とすると、ドーパント材側のスプールシャッタ６のコンダクタンスＣ２が（１／１００）Ｃ１となるように開口面積を形成していたが、その場合、開口面積もかなり微細となるため、高い加工精度が必要であり、又、蒸気量の調整も難しいものであった。これに対して、本発明では、多孔板１１を蒸発室１ｂに設けたので、多孔板１１自体が所定のコンダクタンスＣ３を有するため、（１／１００）Ｃ１＝１／（１／Ｃ２＋１／Ｃ３）となるように開口面積を形成すればよく、多孔板１１自体のコンダクタンスＣ３の分、スプールシャッタ６の開口面積が大きくなり、高い加工精度が必要でなくなり、又、蒸気量の調整も容易となった。
【００３５】
又、図２（ｂ）に示すように、多孔板１１により、蒸発室１ｂとは分離された分離室１１ｃをスプールシャッタ６側に設けているので、壁温度が低い分離室１ｃにより、スプールシャッタ６を逆流して通過してくるホスト材の蒸気Ｓｈを、分離室１１ｃでトラップして、ホスト材の蒸気のるつぼへの到達を防止することができる。従来は、スプールシャッタ６を逆流して通過してくるホスト材により、ドーパント材の蒸発が阻害され、蒸着する際の混合比が所望の混合比からずれてしまい、真空蒸着装置を安定して操業することができない場合があったが、上記作用により、ドーパント材のるつぼに付着するホスト材を大幅に低減することができ、ホスト材がドーパント材の蒸発を阻害することが無くなり、ドーパント材の蒸気量を高精度に調整可能となるため、操業の信頼性が向上することとなる。又、ドーパント材のるつぼに付着するホスト材が無くなるので、メンテナンス間隔を延ばすことができ、生産性の向上を図ることが可能となる。
【００３６】
更に、図２（ｃ）に示すように、多孔板１１が輻射の遮蔽板の役割を果たすため、多孔板１１により、スプールシャッタ６からの輻射Ｈｒを遮蔽することができる。上記作用により、スプールシャッタ６からるつぼ側への余分な入熱を低減することができ、ドーパント材の蒸発室１ｂを所望の低い温度に維持することができる。又、スプールシャッタ６からの入熱を低減できるので、るつぼの温度制御の応答性も向上させることができる。
【００３７】
加えて、多孔板１１の孔１１ａの大きさはスプールシャッタ６の流路１２の開口面積より大きくしたので、図３に示すように、スプールシャッタ６にて、脱ガス用の流路１３を使用しているときは、脱ガス性能が低減しないように構成してある。つまり、多孔板１１の孔１１ａは、蒸着時には、スプールシャッタ６の流路１２への抵抗となり、脱ガス時には、流路１３への大きな抵抗となることなく、脱ガスできるように、流路１２の開口面積より孔１１ａの大きさを大きくしたものである。
【実施例２】
【００３８】
図５は、本発明に係る真空蒸着装置の実施形態の他の一例を示す図である。
なお、図５においては、蒸発室１ｂ及び分離室１ｃの部分以外は、上述した構成と同じであるので、ここでは蒸発室１ｂ及び分離室１ｃの部分のみ示し、他の重複する部分の説明は省略する。
【００３９】
本実施例の真空蒸着装置では、多孔板１１を複数段設けて、上述した多孔板１１の作用をより強くするようにしたものである。具体的には、図５に示すように、蒸発室１ｂと分離室１ｃが、２段の多孔板１１により分離されるので、蒸発する蒸気の流れに対してより強い抵抗となり、又、逆流してくるホスト材に対しては、分離室１ｃ、そして、２段の多孔板１１の間に形成された第２分離室１ｄにより、２重にトラップすることになり、又、輻射に対しては、２段の多孔板１１により遮蔽することになる。
【実施例３】
【００４０】
図６は、本発明に係る真空蒸着装置の実施形態の他の一例を示す図である。
なお、図６においても、蒸発室１ｂ及び分離室１ｃの部分以外は、上述した構成と同じであるので、ここでは蒸発室１ｂ及び分離室１ｃの部分のみ示し、他の重複する部分の説明は省略する。
【００４１】
本実施例の真空蒸着装置では、多孔板１１を複数段設けると共に、各多孔板１１の孔１１ａ同士が、鉛直方向の同一線上に存在しないように配置することで、上述した多孔板１１の作用をより強くするようにしたものである。実施例２の場合は（図５参照）、各多孔板１１の孔１１ａの位置が、鉛直方向の同一線上に存在し、鉛直方向に移動するホスト材の蒸気や輻射が各多孔板１１の孔１１ａを通過する可能性が有るが、本実施例では、各多孔板１１の孔１１ａ同士を鉛直方向の同一線上に存在しないように配置して（所謂、ラビリンス構造）、鉛直方向の移動するホスト材の蒸気や輻射を蒸発室１ｂ側へ到達しないようにしたものである。なお、蒸発する蒸気の流れに対しては、実施例２と同等に、より強い抵抗となるものである。
【実施例４】
【００４２】
図７は、本発明に係る真空蒸着装置の実施形態の他の一例を示す図である。
なお、図７においても、蒸発室１ｂ及び分離室１ｃの部分以外は、上述した構成と同じであるので、ここでは蒸発室１ｂ及び分離室１ｃの部分のみ示し、他の重複する部分の説明は省略する。
【００４３】
本実施例の真空蒸着装置では、複数の孔１４ａを有する厚さの厚い多孔板１４を設けることで、上述した多孔板１１の作用をより強くするようにしたものである。具体的には、図７に示すように、蒸発室１ｂと分離室１ｃが、厚さの厚い多孔板１４により分離されるので、蒸発する蒸気の流れに対してより強い抵抗となり、又、逆流してくるホスト材に対しては、分離室１ｃ、そして、厚さの厚い多孔板１４に形成された孔１４ａの内壁により、２重にトラップすることになり、又、輻射に対しては、厚さの厚い多孔板１４により遮蔽することになる。特に、多孔板１４を、伝熱性の低い材料で形成すれば、スプールシャッタ６からの輻射の影響が、蒸発室１ｂ側へより伝わりにくくなり、るつぼのより良い温度制御の応答性が期待できる。
【実施例５】
【００４４】
図８は、本発明に係る真空蒸着装置の実施形態の他の一例を示す図である。
なお、図８においても、上述した構成と同じものには同一の符号を付し、重複する部分の説明は省略する。
【００４５】
通常、真空蒸着装置では、放射加熱を行ため、チャンバ３の壁面に設けられたヒータ（加熱手段）は、蒸発材料４ａ、４ｂが貯留される蒸発室１ａ、１ｂから上流方向側の多孔板１１、スプールシャッタ６、混合室７、そして、蒸着室２まで、その温度制御が一括して行われている。そのため、ホスト材とドーパント材（蒸発材料４ａ、４ｂ）との蒸発温度が異なる場合、蒸発温度の高いホスト材が混合室７の壁面に付着するおそれがあり、蒸発材料の蒸気量の制御性の点で、より良いものが求められる。
【００４６】
そこで、本実施例の真空蒸着装置では、チャンバ３の壁面に設けられたヒータを、図８に示すように、蒸発室１ｂ側のヒータ１５ａとスプールシャッタ側のヒータ１５ｂとに分割して、各々独立して異なる温度に制御するようにしている。具体的には、ヒータの温度制御の分割点を、スプールシャッタ６とスプールシャッタ６下流の多孔板１１との間とし、ヒータ１５ｂをホスト材（蒸発室１ａ）側の壁面温度Ｔ１（℃）若しくはホスト材側の壁面温度Ｔ１（℃）近傍の温度とし、ヒータ１５ａをドーパント材（蒸発室１ｂ）側の壁面温度Ｔ２（℃）としている。この場合、壁面温度は、望ましくは、壁面温度Ｔ１＞壁面温度Ｔ２、少なくとも、壁面温度Ｔ１≧壁面温度Ｔ２となるように制御されて、多孔板１１自体が、流入してきたホスト材をトラップ（吸着）できる温度に制御されている。なお、ヒータの温度制御の分割数は、更に、多くしてもよく、その場合においても、蒸発室１ｂ側からスプールシャッタ６側へ向かって、壁面温度が徐々に上昇するように制御することが望ましい。
【００４７】
本実施例では、加熱手段をヒータ１５ａ、１５ｂに分割し、各々独立して温度制御することにより、温度制御性を向上させることができ、又、スプールシャッタ６及び分離室１ｃ自体は、ヒータ１５ｂ側にて加熱されるため、蒸気室１ｂより温度が高くなり、蒸発室１ｂからのドーパント材が壁面に付着することはない。
【００４８】
仮に、スプールシャッタ６の上流側、下流側でヒータの温度制御を分割したとすると、この場合、スプールシャッタ６の上流側の面と下流側の面とで温度差が大きくなり、スプールシャッタ６が凸型に変形してしまい、リーク量が大きくなってしまう。これに対して、本実施例では、スプールシャッタ６は、ヒータ１５ｂにて放射加熱されて、上流側、下流側で等温に制御されるため、スプールシャッタ６自体の温度を均一にすることができ、スプールシャッタ６自体の変形量を小さくして、リーク量を低減することができる。この結果、蒸発材料の蒸発量の制御性も向上させることができる。
【００４９】
又、仮に、多孔板１１の上流側（蒸発室１ｂの蒸発材料４ｂ側）でヒータの温度制御を分割したとすると、この場合、多孔板１１の温度はホスト材側の壁面温度Ｔ１に近くなり、ホスト材を多孔板１１でトラップできずに、蒸発室１ｂにホスト材が付着する可能性がある。これに対して、本実施例では、多孔板１１の温度は、ドーパント材側の壁面温度Ｔ２と同等か、若しくは、ドーパント材側の壁面温度Ｔ２とホスト材側の壁面温度Ｔ１との中間温度となるため、ホスト材が分離室１ｃ側に侵入した場合でも、多孔板１１がトラップ板の役割を果たし、蒸発室１ｂにホスト材が付着することはない。
【００５０】
＜他の実施形態＞
なお、均一な分布に蒸気量を制御する蒸気量制御装置（蒸気量制御手段）としては、実施例１に示したスプールシャッタ６のように、蒸気が通過する開口部の断面積を制御するもの、そして、蒸気が通過する開口部の通過距離（進行方向距離）を制御するもの、蒸気が通過する開口部の断面積は変えずに、開口部の形状や個数を変えるもの等が考えられる。以下に、それらの具体的な構成例を示して、その説明を行う。
【実施例６】
【００５１】
図９（ａ）、（ｂ）は、本発明に係る真空蒸着装置おける蒸気量制御装置の他の一例を示す図である。
図９（ａ）、（ｂ）に示す蒸気量制御装置２１Ａは、実施例１の図１等に示したスプールシャッタ６と同じように、蒸気が通過する開口部の断面積を制御するものである。具体的には、本実施例の蒸気量制御装置２１Ａは、長手方向に所定の間隔で配置された複数の貫通孔２４を有する固定板２２と、長手方向に所定の間隔で配置され、貫通孔２４と同じ開口径の複数の貫通孔２５を有する可動板２３とを備え、固定板２２に対して、可動板２３を固定板２２の表面に沿って水平にスライドすること、例えば、長手方向（図９（ａ）中の矢印方向）等にスライドすることで、貫通孔２４に対する貫通孔２５の相対位置を制御し、開口部２６の断面積を制御して（図９（ｂ）参照）、蒸気量を調整するものである。
【００５２】
なお、固定板２２に対して、可動板２３を幅方向（図９（ａ）中の矢印方向に垂直な方向）にスライドすることで、貫通孔２４に対する貫通孔２５の相対位置を制御し、開口部２６の断面積を制御して、蒸気量を調整するようにしてもよい。
【実施例７】
【００５３】
図１０（ａ）〜（ｄ）は、本発明に係る真空蒸着装置おける蒸気量制御装置の更なる他の一例を示す図である。なお、図１０（ｂ）〜（ｄ）は、各々図１０（ａ）における貫通孔２６、２７、２８の部分の断面図である。
【００５４】
図１０（ａ）〜（ｄ）に示す蒸気量制御装置２１Ｂは、上記実施例６とは異なり、蒸気が通過する開口部の通過距離を制御するものである。具体的には、本実施例の蒸気量制御装置２１Ｂは、長手方向に所定の間隔で配置された複数の貫通孔２４を有する固定板２２と、貫通孔２４と異なる開口径の貫通孔２６、貫通孔２４と異なる開口径の開口部分２７ａと貫通孔２４と同じ開口径の開口部分２７ｂとを組み合せた貫通孔２７、貫通孔２４と同じ開口径の貫通孔２８等が長手方向に複数配置された可動板２３とを備え、固定板２２に対して、可動板２３を長手方向（図１０（ａ）中の矢印方向）にスライドすることで、貫通孔２４に対して配置する貫通孔を、貫通孔２６、貫通孔２７又は貫通孔２８等から選択し、開口部の通過距離を制御し、開口部のコンダクタンスを制御して（図１０（ｂ）〜（ｄ）参照）、蒸気量を調整するものである。
【００５５】
例えば、蒸気量をより大きくしたい場合には、図１０（ｂ）に示すように、固定板２２の貫通孔２４の位置に可動板２３の貫通孔２６を移動して配置させる。貫通孔２６は、貫通孔２４の開口径より大きく、貫通孔２４及び貫通孔２６のコンダクタンスＣ1は、貫通孔２４の長さＬ1に相関して規定され、後述する他の貫通孔２７、２８のコンダクタンスＣ2、Ｃ3より大きく、より多くの蒸気量を供給する場合に適している。
【００５６】
又、蒸気量をより小さくしたい場合には、図１０（ｄ）に示すように、固定板２２の貫通孔２４の位置に可動板２３の貫通孔２８を移動して配置させる。貫通孔２８は、貫通孔２４の開口径と同じであり、貫通孔２４及び貫通孔２８のコンダクタンスＣ3は、貫通孔２４の長さＬ1と貫通孔２８の長さＬ3’を加えた長さＬ3に相関して規定され、他の貫通孔２６、２７のコンダクタンスＣ1、Ｃ2より小さく、より少ない蒸気量を供給する場合に適している。
【００５７】
又、蒸気量を、貫通孔２６の場合と貫通孔２８の場合の間にしたい場合には、図１０（ｃ）に示すように、固定板２２の貫通孔２４の位置に可動板２３の貫通孔２７を移動して配置させる。貫通孔２７は、貫通孔２４より大きい開口径の開口部分２７ａと貫通孔２４と同じ開口径の開口部分２７ｂとを組み合せたものであり、貫通孔２４及び貫通孔２７のコンダクタンスＣ2は、貫通孔２４の長さＬ1と開口部分２７ｂの長さＬ2’を加えた長さＬ2に相関して規定され、Ｌ1＜Ｌ2＜Ｌ3であることから、Ｃ1＜Ｃ2＜Ｃ3となり、中程度の蒸気量を供給する場合に適している。このように、本実施例では、蒸気が通過する開口部の通過距離（進行方向距離）を制御することで、蒸気量の供給を制御している。
【００５８】
なお、上記貫通孔２６、２７、２８等を、可動板２３の幅方向（図１０（ａ）中の矢印方向に垂直な方向）に配置する場合には、固定板２２に対して、可動板２３を幅方向にスライドすることで、貫通孔２４に対して配置する貫通孔を、貫通孔２６、貫通孔２７又は貫通孔２８等から選択し、開口部の通過距離を制御し、開口部のコンダクタンスを制御して、蒸気量を調整することができる。又、固定板２２に上記貫通孔２６、２７、２８を設け、可動板２３に上記貫通孔２４を設け、可動板２３をスライドすることで、固定板２２に設けた貫通孔２６、２７、２８のいずれかに対して、可動板２３に設けた貫通孔２４を配置し、貫通孔２４と連通する貫通孔を貫通孔２６、貫通孔２７又は貫通孔２８等から選択し、開口部の通過距離を制御し、開口部のコンダクタンスを制御して、蒸気量を調整するようにしてもよい。
【実施例８】
【００５９】
図１１（ａ）〜（ｄ）は、本発明に係る真空蒸着装置おける蒸気量制御装置の更なる他の一例を示す図である。なお、図１１（ｂ）〜（ｄ）は、図１１（ａ）にＡ−Ａ線矢視断面図である。
【００６０】
図１１（ａ）〜（ｄ）に示す蒸気量制御装置２１Ｃは、上記実施例６、７とは異なり、蒸気が通過する開口部の断面積は変えずに、開口部の個数を変えるものである。具体的には、本実施例の蒸気量制御装置２１Ｃは、長手方向に所定の間隔で配置された複数の貫通孔２４を有する固定板２２と、貫通孔２４と同じ開口径の貫通孔２９が、貫通孔２４とは異なる間隔で長手方向に複数配置された可動板２３とを備え、固定板２２に対して、可動板２３を長手方向（図１１（ａ）中の矢印方向）にスライドすることで、貫通孔２４の位置に配置される貫通孔２９の個数を変え、貫通孔２４と連通する貫通孔２９の個数を変えて（図１１（ｂ）〜（ｄ）参照）、蒸気量を調整するものである。
【００６１】
例えば、蒸気量をより大きくしたい場合には、図１１（ｂ）に示すように、固定板２２の貫通孔２４の位置に可動板２３の貫通孔２９が数多く配置されるように、可動板２３を移動させ、連通する貫通孔２４、貫通孔２９の個数を多くする（図１１（ｂ）中では２個）。又、蒸気量をより小さくしたい場合には、図１１（ｃ）に示すように、固定板２２の貫通孔２４の位置に可動板２３の貫通孔２９が少なく配置されるように、可動板２３を移動させ、連通する貫通孔２４、貫通孔２９の個数を少なくする（図１１（ｃ）中では１個）。又、蒸気量の供給を停止したい場合には、図１１（ｄ）に示すように、固定板２２の貫通孔２４の位置に可動板２３の貫通孔２９が配置されないように、可動板２３を移動させ、貫通孔２４、貫通孔２９が連通しないようにする（図１１（ｃ）中では０個）。このように、本実施例では、蒸気が通過する開口部の個数を変えることで、蒸気量の供給を制御している。
【００６２】
なお、可動板２３の長手方向に所定の配置間隔で複数の貫通孔２９を配置すると共に、配置間隔が異なる他の複数の貫通孔２９の列を、可動板２３の幅方向に複数列配置する場合には、固定板２２に対して、可動板２３を幅方向（図１１（ａ）中の矢印方向に垂直な方向）にスライドすることで、貫通孔２４の位置に配置される貫通孔２９の個数を変え、貫通孔２４と連通する貫通孔２９の個数を変えて、蒸気量を調整することができる。又、固定板２２に上記貫通孔２９を設け、可動板２３に上記貫通孔２４を設け、可動板２３をスライドすることで、固定板２２に設けた貫通孔２９に対して、可動板２３に設けた貫通孔２４を配置し、貫通孔２９の位置に配置される貫通孔２４の個数を変え、貫通孔２９と連通する貫通孔２４の個数を変えて、蒸気量を調整するようにしてもよい。
【産業上の利用可能性】
【００６３】
本発明に係る真空蒸着装置は、共蒸着を行う場合に好適なものであり、特に、混合する蒸発材料の蒸気量や蒸発温度が大きく異なる場合に好適である。
【図面の簡単な説明】
【００６４】
【図１】本発明に係る真空蒸着装置の実施形態の一例（実施例１）を示す概略図である。
【図２】本発明に係る真空蒸着装置における作用を説明する図である。
【図３】図１において示した蒸気量制御装置の制御について説明する図である。
【図４】図１において示した蒸気量制御装置の制御について説明する図である。
【図５】本発明に係る真空蒸着装置の実施形態の他の一例（実施例２）を示す図である。
【図６】本発明に係る真空蒸着装置の実施形態の他の一例（実施例３）を示す図である。
【図７】本発明に係る真空蒸着装置の実施形態の他の一例（実施例４）を示す図である。
【図８】本発明に係る真空蒸着装置の実施形態の他の一例（実施例５）を示す図である。
【図９】本発明に係る真空蒸着装置おける蒸気量制御装置の他の一例（実施例６）を示す図である。
【図１０】本発明に係る真空蒸着装置おける蒸気量制御装置の他の一例（実施例７）を示す図である。
【図１１】本発明に係る真空蒸着装置おける蒸気量制御装置の他の一例（実施例８）を示す図である。
【符号の説明】
【００６５】
１ａ  蒸発室
１ｂ  蒸発室
１ｃ  分離室
１ｄ  第２分離室
２    蒸着室
３    チャンバ
４ａ  蒸発材料（ホスト材）
４ｂ  蒸発材料（ドーパント材）
５    蒸着対象物（基板）
６    スプールシャッタ
７    混合室
８    多孔板シャッタ
９    多孔整流板
１０  搬送方向
１１、１４  多孔板
１２  流路
１３  流路
１５ａ、１５ｂ  ヒータ
【図１】
2006225758.tif 000003
【図２】
2006225758.tif 000004
【図３】
2006225758.tif 000005
【図４】
2006225758.tif 000006
【図５】
2006225758.tif 000007
【図６】
2006225758.tif 000008
【図７】
2006225758.tif 000009
【図８】
2006225758.tif 000010
【図９】
2006225758.tif 000011
【図１０】
2006225758.tif 000012
【図１１】
2006225758.tif 000013